(57)【要約】【課題】、アウターロータとサイドプレートとの接触面積の減少量を小さくし、アウタロータやサイドプレートの磨耗量を減少させる。【解決手段】第２のサイドプレート７２の端面に線状溝部７２ｄ、７２ｅを形成する。これにより、アウターロータ５１をシール部材１００側に押し戻す力を発生させることができ、アウターロータ５１から第２のサイドプレート７２に掛かる荷重を低減でき、接触抵抗が小さくなって、より円滑なポンプ動作が可能になる。また、アウターロータ５１をシール部材１００側に押し戻す力を線状溝部７２ｄ、７２ｅにて発生させているため、アウターロータ５１と第２のサイドプレート７２との接触面積の減少量を小さくできる。よって、アウタロータ５１や第２のサイドプレート７２の磨耗量を減少させることが可能となる。【選択図】図２（ｃ）
2014084849.tif 000002
【特許請求の範囲】
【請求項１】
内周に内歯部（５１ａ）を有するアウターロータ（５１）と、外周に外歯部（５２ａ）を有すると共に駆動軸（５４）を軸として回転運動するインナーロータ（５２）とを備え、前記内歯部と外歯部との噛み合いの間に複数の空隙部（５３）が形成された回転部と、
前記回転部の一方の軸方向端面側に配置された第１のサイドプレート（７１）と、前記回転部の他方の軸方向端面側に配置され、前記アウターロータおよびインナーロータの軸方向端面との接触面がメカニカルシールを行う第２のサイドプレート（７２）を有していると共に、前記アウターロータの外周を囲むように配置される中央プレート（７３）を有し、前記回転部を覆うように形成されたケーシング（５０）と、
前記ケーシングに設けられ、前記回転部に流体を吸引する吸入口（６０）と前記回転部から流体を吐出する吐出口（６１）と、
前記第１のサイドプレートと前記回転部との間において前記吸入口と接続された低圧側の部位と前記吐出口と接続された高圧側の部位とに分割する第１シール部材（１００）と、
前記アウターロータの外周と前記中央プレートとの間に構成される間隙部（Ｓ）を、前記吸入口と接続された低圧側の部位と前記吐出口と接続された高圧側の部位とに分割する第２シール部材（８０、８１）と、
前記第２のサイドプレートのうち前記メカニカルシールを行う面に形成され、前記間隙部のうち前記高圧側の部位に接続される連通部分（７２ｄａ、７２ｅａ）と、前記連通部分に接続されると共に前記アウターロータの外周から前記内歯部の間において伸びる線状部分（７２ｄｂ、７２ｅｂ）とを有して構成される線状溝部（７２ｄ、７２ｅ）と、
を備えることを特徴とする回転式ポンプ。
【請求項２】
前記アウターロータの中心軸（Ｘ）と前記インナーロータの中心軸（Ｙ）を結ぶ線を中心線（Ｚ）として、前記中心線よりも前記吸入口側に前記線状溝部が備えられていることを特徴とする請求項１に記載の回転式ポンプ。
【請求項３】
前記第２のサイドプレートと前記中央プレートとは一体化されており、
前記中央プレートの内壁面には前記アウターロータの径方向外方に凹む凹部（７３ａ、７３ｂ）が形成され、
前記連通部分は、前記凹部の内壁面から該内壁面に沿って前記アウターロータの径方向に延設されていることを特徴とする請求項１または２に記載の回転式ポンプ。
【請求項４】
踏力に基づいてブレーキ液圧を発生させるブレーキ液圧発生手段（１〜３）と、
前記ブレーキ液圧に基づいて車輪に制動力を発生させる制動力発生手段（４、５）と、
前記ブレーキ液圧発生手段に接続され、前記制動力発生手段に前記ブレーキ液圧を伝達する主管路（Ａ）と、
前記ブレーキ液圧発生手段に接続され、前記制動力発生手段が発生させる制動力を高めるために、前記主管路側にブレーキ液を供給する補助管路（Ｃ、Ｄ）と、を有し、
前記回転式ポンプが、前記吸入口より前記補助管路を通じて前記ブレーキ液圧発生手段側のブレーキ液を吸入でき、前記吐出口より前記主管路を通じて前記制動力発生手段に向けてブレーキ液を吐出できるように配置されていることを特徴とする請求項１ないし３のいずれか１つに記載の回転式ポンプを備えたブレーキ装置。
【発明の詳細な説明】
【技術分野】
【０００１】
本発明は、流体を吸入・吐出するトロコイドポンプ等の内接歯車型の回転式ポンプおよびそれを備えたブレーキ装置に関するものである。
【背景技術】
【０００２】
トロコイドポンプ等の内接歯車型の回転式ポンプは、外周に外歯部を備えたインナーロータ、内周に内歯部を備えたアウターロータおよびこれらアウターロータとインナーロータを収納するサイドプレートや中央プレートを有するケーシング等から構成されている。インナーロータおよびアウターロータは、内歯部と外歯部とが互いに噛み合わさり、これら互いの歯によって複数の空隙部を形成した状態でケーシング内に配置されている。
【０００３】
このような回転式ポンプでは、高圧な部位と低圧な部位とをシールする必要がある。このため、回転式ポンプの軸方向の一方の端面については両ロータにサイドプレートに備えたシール部材を押し当ててシールし、もう一方の端面についてはサイドプレートに直接両ロータを押し当ててメカニカルシールを行っている。また、アウターロータの外周においては、中央プレートに凹部を形成すると共に凹部内にシール部材を備え、シール部材をアウターロータの外周に当接させることでシールしている。
【０００４】
しかしながら、このように構成された回転式ポンプでは、メカニカルシールを採用しているため、両ロータとサイドプレート間の摺動面で回転の損失トルクが大きくなり、それに伴う発熱で発熱箇所が膨張し、ポンプ吐出能力を低下させる可能性がある。
【０００５】
このため、特許文献１において、サイドプレートのうち両ロータの中心線とアウターロータの外縁との交差位置に油溝を形成し、アウタロータの軸方向端面とサイドプレートの端面との摺動面積を少なくした構造の回転式ポンプが提案されている。このようにアウタロータの軸方向端面とサイドプレートの端面との摺動面積を少なくすることにより、損失トルクを低減できるようにしている。
【先行技術文献】
【特許文献】
【０００６】
【特許文献１】特開２００７−２６３１１６号公報
【発明の概要】
【発明が解決しようとする課題】
【０００７】
上記した特許文献１に記載の回転式ポンプでは、油溝の面積分、アウターロータの軸方向端面とサイドプレートの接触面積を減少させられるため、アウターロータとサイドプレートとの間の接触抵抗を低減できる。しかしながら、アウターロータとサイドプレートとの接触面積が減る分、接触箇所に掛かる荷重が大きくなり、その分、アウタロータやサイドプレートの磨耗量が多くなる。そして、特許文献１に記載の回転式ポンプでは、油溝がアウターロータの外縁に沿った広範囲において、アウターロータの外周と中央プレートとの間に構成される隙間に至るように形成されていることから、上記の接触面積の減少が大きく、磨耗量もより多くなる。
【０００８】
本発明は上記点に鑑みて、アウターロータとサイドプレートとの接触面積の減少量を小さくし、アウタロータやサイドプレートの磨耗量を減少させることが可能な回転式ポンプを提供することを目的とする。
【課題を解決するための手段】
【０００９】
上記目的を達成するため、請求項１に記載の発明では、アウターロータ（５１）の内歯部（５１ａ）とインナーロータ（５２）の外歯部（５２ａ）との噛み合いの間に複数の空隙部（５３）が形成された回転部と、回転部の軸方向両側に配置される第１、第２のサイドプレート（７１、７２）およびアウターロータの外周を囲むように配置される中央プレート（７３）を有し、第２のサイドプレート（７２）におけるアウターロータおよびインナーロータの軸方向端面との接触面にてメカニカルシールを行うケーシング（５０）と、ケーシングに設けられ、回転部に流体を吸引する吸入口（６０）と回転部から流体を吐出する吐出口（６１）と、第１のサイドプレートと回転部との間において吸入口と接続された低圧側の部位と吐出口と接続された高圧側の部位とに分割する第１シール部材（１００）と、アウターロータの外周と中央プレートとの間に構成される間隙部（Ｓ）を、吸入口と接続された低圧側の部位と吐出口と接続された高圧側の部位とに分割する第２シール部材（８０、８１）と、第２のサイドプレートのうちメカニカルシールを行う面に形成され、間隙部のうち高圧側の部位に接続される連通部分（７２ｄａ、７２ｅａ）と、連通部分に接続されると共にアウターロータの外周から内歯部の間において伸びる線状部分（７２ｄｂ、７２ｅｂ）とを有して構成される線状溝部（７２ｄ、７２ｅ）とを備えていることを特徴としている。
【００１０】
このように、第２のサイドプレートの端面に線状溝部を形成している。このため、線状溝部内に供給される高圧な流体圧にてアウターロータを第１シール部材側に押し戻す力を発生させることができ、アウターロータから第２のサイドプレートに掛かる荷重を低減できる。これにより、アウターロータと第２のサイドプレートとの間の接触抵抗が小さくなり、より円滑なポンプ動作が可能になる。そして、アウターロータを第１シール部材側に押し戻す力を線状溝部にて発生させている。したがって、アウターロータと第２のサイドプレートとの接触面積の減少量を小さくし、アウタロータや第２のサイドプレートの磨耗量を減少させることが可能な回転式ポンプとすることが可能となる。
【００１１】
なお、上記各手段の括弧内の符号は、後述する実施形態に記載の具体的手段との対応関係の一例を示すものである。
【図面の簡単な説明】
【００１２】
【図１】本発明の第１実施形態にかかる回転式ポンプ１０が備えられたブレーキ装置の管路構成図である。
【図２（ａ）】図１に示す回転式ポンプ１０の部分断面正面図である。
【図２（ｂ）】図２（ａ）のＡ−Ｏ−Ａ断面図である。
【図２（ｃ）】図１に示す回転式ポンプ１０の部分断面背面図である。
【図３（ａ）】他の実施形態で説明する線状溝部７２ｄの近傍の部分拡大図である。
【図３（ｂ）】他の実施形態で説明する線状溝部７２ｄの近傍の部分拡大図である。
【図３（ｃ）】他の実施形態で説明する線状溝部７２ｄの近傍の部分拡大図である。
【図３（ｄ）】他の実施形態で説明する線状溝部７２ｄの近傍の部分拡大図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
まず、ブレーキ装置の基本構成を、図１に基づいて説明する。ここでは右前輪−左後輪、左前輪−右後輪の各配管系統を備えるＸ配管の油圧回路を構成する車両に本発明におけるブレーキ装置を適用した例について説明するが、前後配管などにも適用可能である。
【００１５】
図１に示すように、ブレーキペダル１は倍力装置２と接続されており、この倍力装置２によりブレーキ踏力等が倍力される。倍力装置２は、倍力された踏力をマスタシリンダ（以下、Ｍ／Ｃという）３に伝達するプッシュロッド等を有しており、このプッシュロッドがＭ／Ｃ３に配設されたマスタピストンを押圧することによりＭ／Ｃ圧を発生させる。そして、Ｍ／Ｃ圧は、ＡＢＳ制御等を行うブレーキ液圧制御用アクチュエータを介して右前輪ＦＲ用のホイールシリンダ（以下、Ｗ／Ｃという）４および左後輪ＲＬ用のＷ／Ｃ５へ伝達される。Ｍ／Ｃ３には、マスタリザーバ３ａが接続されており、Ｍ／Ｃ３内にブレーキ液を供給したり、Ｍ／Ｃ３内の余剰ブレーキ液を貯留できるようになっている。
【００１６】
なお、これらのうちブレーキペダル１、倍力装置２およびＭ／Ｃ３はブレーキ液圧発生手段に相当する。また、Ｗ／Ｃ４、５が制動力発生手段に相当する。
【００１７】
以下の説明では、第１の配管系統である右前輪ＦＲおよび左後輪ＲＬ側について説明するが、第２の配管系統である左前輪ＦＬおよび右後輪ＲＲ側についても全く同様である。
【００１８】
ブレーキ装置は、Ｍ／Ｃ３に接続する管路（主管路）Ａを備えており、この管路Ａには逆止弁２２ａと共に、ブレーキ制御用の電子制御装置（以下、ブレーキＥＣＵという）にて制御される差圧制御弁２２が備えられている。この差圧制御弁２２によって管路Ａは２部位に分けられている。具体的には、管路Ａは、Ｍ／Ｃ３から差圧制御弁２２までの間においてＭ／Ｃ圧を受ける管路Ａ１と、差圧制御弁２２から各Ｗ／Ｃ４、５までの間の管路Ａ２に分けられる。
【００１９】
差圧制御弁２２は、通常は連通状態であるが、Ｍ／Ｃ圧が所定圧よりも低い際にＷ／Ｃ４、５に急ブレーキをかける時、或いはトラクションコントロール時に、Ｍ／Ｃ側とＷ／Ｃ側との間に所定の差圧を発生させる状態（差圧状態）となる。この差圧制御弁２２は、差圧の設定値を線形的（リニア）に調整することができる。
【００２０】
また、管路Ａ２において、管路Ａは２つに分岐しており、開口する一方にはＷ／Ｃ４へのブレーキ液圧の増圧を制御する増圧制御弁３０が備えられ、他方にはＷ／Ｃ５へのブレーキ液圧の増圧を制御する増圧制御弁３１が備えられている。
【００２１】
これら増圧制御弁３０、３１は、ブレーキＥＣＵにより連通・遮断状態を制御できる２位置弁として構成されている。この２位置弁が連通状態に制御されているときには、Ｍ／Ｃ圧あるいは後述するポンプ１０の吐出によるブレーキ液圧を各Ｗ／Ｃ４、５に加えることができる。これら増圧制御弁３０、３１は、ＡＢＳ制御が実行されていないノーマルブレーキ時に常時連通状態に制御されるノーマルオープン弁とされている。
【００２２】
なお、増圧制御弁３０、３１には、それぞれ安全弁３０ａ、３１ａが並列に設けられており、ブレーキ踏み込みを止めてＡＢＳ制御が終了したときにおいてＷ／Ｃ４、５側からブレーキ液を排除するようになっている。
【００２３】
増圧制御弁３０、３１と各Ｗ／Ｃ４、５との間における管路Ａと調圧リザーバ４０とを結ぶ管路（吸入管路）Ｂには、ブレーキＥＣＵにより連通・遮断状態を制御できる減圧制御弁３２、３３がそれぞれ配設されている。これらの減圧制御弁３２、３３は、ノーマルブレーキ状態（ＡＢＳ非作動時）のときに常時遮断状態とされるノーマルクローズ弁とされている。
【００２４】
管路Ａの差圧制御弁２２および増圧制御弁３０、３１の間と調圧リザーバ４０とを結ぶ管路（補助管路）Ｃには回転式ポンプ１０が配設されている。この回転式ポンプ１０の吐出口側には、安全弁１０Ａが備えられており、ブレーキ液が逆流しないようになっている。この回転式ポンプ１０にはモータ１１が接続されており、このモータ１１によって回転式ポンプ１０が駆動される。
【００２５】
また、調圧リザーバ４０とＭ／Ｃ３とを接続するように管路（補助管路）Ｄが設けられており、この管路Ｄに２位置弁２３が配置されている。２位置弁２３は、通常時に遮断状態とされているノーマルクローズ弁で構成されており、ブレーキアシスト時やトラクションコントロール時等に駆動される。このときには、２位置弁２３が連通状態にされて管路Ｄが連通状態にされると共に、差圧制御弁２２にてＭ／Ｃ圧とＷ／Ｃ圧との差圧が保持された状態で回転式ポンプ１０が動作させられる。これにより、管路Ｄを介して管路Ａ１のブレーキ液が汲み取られ、管路Ａ２へ吐出されて、Ｗ／Ｃ４、５におけるＷ／Ｃ圧がＭ／Ｃ圧よりも高められ、車輪制動力を高めることが可能となる。
【００２６】
調圧リザーバ４０は、リザーバ内のブレーキ液圧とＭ／Ｃ圧との差圧の調圧を行いつつ、回転式ポンプ１０へのブレーキ液の供給を行う。調圧リザーバ４０に備えられたリザーバ孔４０ａ、４０ｂは、それぞれがリザーバ室４０ｃに連通させられている。リザーバ孔４０ａは、管路Ｄに接続されてＭ／Ｃ３側からのブレーキ液を受け入れる。リザーバ孔４０ｂは、管路Ｂおよび管路Ｃに接続され、Ｗ／Ｃ４、５から排出されるブレーキ液を受け入れると共に回転式ポンプ１０の吸入側にブレーキ液を供給する。
【００２７】
リザーバ孔４０ａより内側には、ボール弁などで構成された弁体４１が配設されている。この弁体４１は、弁座４２に離着することで管路Ｄとリザーバ室４０ｃとの間の連通遮断を制御したり、弁座４２との間の距離が調整されることでリザーバ室４０ｃの内圧とＭ／Ｃ圧との差圧の調圧を行う。弁体４１の下方には、弁体４１を上下に移動させるための所定ストロークを有するロッド４３が弁体４１と別体で設けられている。また、リザーバ室４０ｃ内には、ロッド４３と連動するピストン４４と、このピストン４４を弁体４１側に押圧してリザーバ室４０ｃ内のブレーキ液を押し出そうとする力を発生するスプリング４５が備えられている。
【００２８】
このように構成された調圧リザーバ４０は、所定量のブレーキ液が貯留されると、弁体４１が弁座４２に着座して調圧リザーバ４０内にブレーキ液が流入しないようになっている。このため、回転式ポンプ１０の吸入能力より多くのブレーキ液がリザーバ室４０ｃ内に流動することがなく、回転式ポンプ１０の吸入側に高圧が印加されることもない。
【００２９】
次に、図２（ａ）〜（ｃ）を参照して、本実施形態にかかる回転式ポンプ１０の詳細構造について説明する。なお、図２（ａ）〜（ｃ）は、図１における回転式ポンプ１０の具体的構成を示す図であり、（ａ）は、（ｂ）のＢ−Ｂ断面図、（ｂ）は、（ａ）のＡ−Ｏ−Ａ断面図、（ｃ）は、（ｂ）のＣ−Ｃ断面図に相当している。
【００３０】
回転式ポンプ１０は、内接歯車ポンプであるトロコイドポンプによって構成されており、図２（ａ）〜（ｃ）に示すように、ケーシング５０内に構成されるロータ室５０ａ内に配置されている。ロータ室５０ａ内には、アウターロータ５１およびインナーロータ５２がそれぞれの中心軸（図中の点Ｘと点Ｙ）が偏心した状態で組付けられて収納されている。アウターロータ５１は内周に内歯部５１ａを備えており、インナーロータ５２は外周に外歯部５２ａを備えている。そして、これらアウターロータ５１とインナーロータ５２とが互いの歯部５１ａ、５２ａによって複数の空隙部５３を形成して噛み合わさっている。なお、図２（ａ）からも判るように、本実施形態の回転式ポンプ１０は、アウターロータ５１の内歯部５１ａとインナーロータ５２の外歯部５２ａとで空隙部５３を形成する、仕切り板（クレセント）なしの多数歯トロコイドタイプのポンプである。また、インナーロータ５２の回転トルクを伝えるために、インナーロータ５２とアウターロータ５１とは複数の接触点を有した構造とされている。
【００３１】
図２（ｂ）に示されるように、本実施形態では、ケーシング５０を第１、第２のサイドプレート７１、７２および中央プレート７３によって構成しており、これらによって囲まれた空間により、ロータ室５０ａを形成している。第１、第２のサイドプレート７１、７２は、両ロータ５１、５２を両側から挟むように配置されている。中央プレート７３は、第１、第２のサイドプレート７１、７２間に配設され、アウターロータ５１およびインナーロータ５２を収容する孔が設けられ、アウターロータ５１の外周を囲むように配置される。アウターロータ５１の外周と中央プレート７３の内周との間には微小な間隙部Ｓが形成され、ブレーキ液が流入する構造となっている。
【００３２】
また、図２（ｂ）に示すように、第１、第２のサイドプレート７１、７２の中心部には、ロータ室５０ａ内と連通する中心孔７１ａ、７２ａが形成されており、これら中心孔７１ａ、７２ａにはインナーロータ５２に配設された駆動軸５４が嵌入されている。そして、アウターロータ５１およびインナーロータ５２は、中央プレート７３の孔内において回転自在に配設されている。具体的には、アウターロータ５１およびインナーロータ５２で構成される回転部は、ケーシング５０のロータ室５０ａ内に回転自在に組み込まれている。そして、図２（ａ）に示すようにアウターロータ５１は点Ｘを軸として回転し、インナーロータ５２は点Ｙを軸として回転する。
【００３３】
さらに、アウターロータ５１およびインナーロータ５２それぞれの回転軸となる点Ｘと点Ｙを通る線を回転式ポンプ１０の中心線Ｚとすると、第１のサイドプレート７１のうち中心線Ｚを挟んだ左右に吸入口６０と吐出口６１が形成されている。これら吸入口６０と吐出口６１は、共に、ロータ室５０ａに連通させられており、複数の空隙部５３に連通する位置に配設されている。このため、吸入口６０を介して外部からのブレーキ液を空隙部５３内に吸入して、吐出口６１を介して空隙部５３内のブレーキ液を外部へ吐出することができるようになっている。
【００３４】
複数の空隙部５３のうち、体積が最大となる側の閉じ込み部５３ａおよび体積が最小となる側の閉じ込み部５３ｂは、吸入口６０および吐出口６１のいずれにも連通しないように構成されている。これら閉じ込み部５３ａ、５３ｂによって吸入口６０における吸入圧と吐出口６１における吐出圧との差圧を保持している。
【００３５】
中央プレート７３の内壁面であって、アウターロータ５１の回転軸となる点Ｘを中心として中心線Ｚから吸入口６０方向へ約４５度の位置には、それぞれアウターロータ５１の径方向外方に凹む凹部７３ａと凹部７３ｂが形成されている。これら凹部７３ａ、７３ｂ内には、アウターロータ５１の外周におけるブレーキ液の流動を抑制するためのシール部材８０、８１が備えられている。そして、これらシール部材８０、８１により、アウターロータ５１の外周においてブレーキ液圧が低圧になる部分と高圧になる部分をシールしている。
【００３６】
シール部材８０は、球状若しくは略円筒状をしたゴム部材８０ａと、直方体形状をした樹脂部材８０ｂとから構成されている。樹脂部材８０ｂはゴム部材８０ａによって押されてアウターロータ５１に接し、アウターロータ５１の外周のシールを行っている。このような構造とされているため、製造誤差等によってアウターロータ５１の大きさに若干の誤差分が生じても、この誤差分を弾性力を有するゴム部材８０ａによって吸収して確実にシールすることができる。
【００３７】
樹脂部材８０ｂの幅（アウターロータ５１の回転方向の幅）は、凹部７３ａ内に樹脂部材８０ｂを配置したときに、ある程度隙間が空く程度になっている。つまり、樹脂部材８０ｂの幅を凹部７３ａの幅と同等に形成すると、ポンプ駆動時におけるブレーキ液圧の流動によって樹脂部材８０ｂが凹部７３ａ内に入り込んだときに出てきにくくなる。このため、多少隙間が空く程度の大きさで樹脂部材８０ｂを形成することで樹脂部材８０ｂのゴム部材８０ａ側にブレーキ液が入り込むようにして、このブレーキ液の圧力によって樹脂部材８０ｂが凹部７３ａ内から出てき易いようにしている。なお、シール部材８１も、ゴム部材８１ａおよび樹脂部材８０ｂを備えた構成とされるが、シール部材８０と同様の構造であるため説明は省略する。
【００３８】
さらに、図２（ｂ）に示されるように、第１のサイドプレート７１にはシール溝部７１ｂが形成されている。このシール溝部７１ｂは、図２（ａ）の一点鎖線で示されるように、駆動軸５４を囲む円環状（枠体形状）で構成されていると共に、所定領域において溝幅が広げられた構成となっており、吐出口６１と連通させられている。シール溝部７１ｂの中心は、駆動軸５４の軸中心に対して吸入口６０側（紙面左側）に偏心した状態となっている。これにより、シール溝部７１ｂは、吐出口６１と駆動軸５４の間を通って、閉じ込み部５３ａ、５３ｂ、シール部材８０、８１がアウターロータ５１をシールしている部分を通過するような配置となる。
【００３９】
このシール溝部７１ｂの中には、シール部材１００が配置されている。シール部材１００は、ゴム等の弾性体からなる弾性部材１００ａと、樹脂からなる樹脂部材１００ｂとによって構成されており、弾性部材１００ａによって樹脂部材１００ｂがアウターロータ５１およびインナーロータ５２側に押し付けられている。
【００４０】
樹脂部材１００ｂは、シール溝部７１ｂの形状と同様の形状を成しており、円環状になっている。また、樹脂部材１００ｂは、一端面側に凹部１００ｃと凸部１００ｄが形成された段付きプレートとされている。樹脂部材１００ｂは、凸部１００ｄが形成された面側がシール溝部７１ｂの開孔側に配置されることにより、凸部１００ｄが両ロータ５１、５２および中央プレート７３の一端面に接するようになっている。そして、樹脂部材１００ｂよりもシール溝部７１ｂの底側に弾性部材１００ａが配置されることで、弾性部材１００ａの弾性力とシール溝部７１ｂに導入されたブレーキ液の吐出圧により樹脂部材１００ｂが押圧されてシール機能を果たす。
【００４１】
凸部１００ｄは、図２（ａ）において破線ハッチングで示した形状とされ、密閉部１００ｅと密閉部１００ｆを有している。密閉部１００ｅと密閉部１００ｆは、空隙部５３が吸入口６０と連通した状態から吐出口６１に連通した状態に移行するまでの間と、空隙部５３が吐出口６１と連通した状態から吸入口６０に連通した状態に移行するまでの間にそれぞれ備えられている。これら密閉部１００ｅ、１００ｆは、少なくとも閉じ込み部５３ａ、５３ｂを全面的に覆えるような幅で構成されており、閉じ込み部５３ａ、５３ｂを密閉している。
【００４２】
このように配置されたシール部材１００により、アウターロータ５１およびインナーロータ５２の軸方向端面と第１のサイドプレート７１の間における隙間において、高圧な部位と低圧な部位との間をシールしている。具体的には、高圧な吐出口６１と、低圧な駆動軸５４とインナーロータ５２との間の間隙部および吸入口６０との間がシール部材１００によってシールされている。
【００４３】
一方、第２のサイドプレート７２側においては、第２のサイドプレート７２のうちロータ室５０ａ側の端面がアウターロータ５１およびインナーロータ５２の軸方向端面に直接当接することでメカニカルシールが為されている。このメカニカルシールにより、アウターロータ５１およびインナーロータ５２の軸方向端面と第２のサイドプレート７２の間における隙間において、高圧な部位と低圧な部位との間をシールしている。具体的には、高圧な吐出口６１と、低圧な駆動軸５４とインナーロータ５２との間の間隙部および吸入口６０との間がメカニカルシールによってシールされている。
【００４４】
メカニカルシールは、第１のサイドプレート７１側のシール部材１００がアウターロータ５１およびインナーロータ５２を押圧し、アウターロータ５１およびインナーロータ５２が第２のサイドプレート７２に押し付けられることで実現されている。このとき、シール部材１００は、樹脂部材１００ｂが弾性部材１００ａの弾性力とシール溝部７１ｂに導入されたブレーキ液の吐出圧により押圧されるため、アウターロータ５１およびインナーロータ５２が高圧で第２のサイドプレート７２に押圧されることになる。このため、アウターロータ５１およびインナーロータ５２と第２のサイドプレート７２との間の回転摩擦抵抗が大きくなって、駆動トルクが著しく増大するという問題が発生する。
【００４５】
したがって、本実施形態では、図２（ｂ）、（ｃ）に示すように、メカニカルシールが為される側の第２のサイドプレート７２に、吸入口６０と連通する吸入溝７２ｂを設けると共に、吐出口６１と連通する吐出溝７２ｃを設けた構成としている。これら吸入溝７２ｂと吐出溝７２ｃとにより、吸入口６０と吐出口６１の流体圧が導入され、アウターロータ５１およびインナーロータ５２を押し返している。このようにして、アウターロータ５１およびインナーロータ５２が第２のサイドプレート７２を押し付ける力を軽減することで、摩擦抵抗が軽減されるようにしている。これにより、駆動トルクの増加を防止することが可能となる。
【００４６】
しかしながら、アウターロータ５１およびインナーロータ５２の軸方向端面において、高圧な部位と低圧な部位が存在する。このため、高圧な部位では吐出溝７２ｃを形成することでアウターロータ５１およびインナーロータ５２がシール部材１００側に押し戻されて摩擦抵抗が低減されるが、低圧な部位ではアウターロータ５１およびインナーロータ５２を押し戻す力が十分ではない。具体的には、アウターロータ５１およびインナーロータ５２の端面では、高圧な吐出溝７２ｃから低圧な駆動軸５４とインナーロータ５２との間もしくは吸入口６０側に向かって徐々にブレーキ液圧が低下していく。したがって、吐出溝７２ｃからシール部材８０、８１に向かうまでの間、特にアウターロータ５１のうち中心線Ｚよりもシール部材８０、８１側などにおいてはアウターロータ５１をシール部材１００側に押し戻す力が小さくなる。このため、アウターロータ５１と第２のサイドプレート７２との間の接触抵抗が大きくなる。
【００４７】
これに対して、特許文献１においては、第２のサイドプレート７２の端面のうち中心線Ｚとアウターロータ５１との交差位置に、アウターロータ５１の外縁に沿って円弧状の油溝を形成している。これにより、油溝内に高圧を導くことでアウターロータ５１をシール部材１００側に押し戻す力を大きくすると共に、アウタロータ５１と第２のサイドプレート７２の端面との摺動面積を少なくした。ところが、単に油溝を形成したのでは、油溝が形成された領域、つまりアウターロータ５１の外縁に沿った広範囲において、アウターロータ５１と第２のサイドプレート７２との接触面積が減り、その分、接触箇所に掛かる荷重が大きくなる。このため、アウタロータ５１や第２のサイドプレート７２の磨耗量が多くなった。
【００４８】
これを解消すべく、本実施形態では、図２（ｃ）に示すように第２のサイドプレート７２の端面に例えばレーザ加工によって形成された線状溝部７２ｄ、７２ｅを備えている。具体的には、第２のサイドプレート７２の端面のうち閉じ込み部５３ａ、５３ｂより径方向外側であって中心線Ｚから各シール部材８０、８１の間、かつ、吸入溝７２ｂの外側に線状溝部７２ｄ、７２ｅを備えている。線状溝部７２ｄは、閉じ込み部５３ａ側において、間隙部Ｓから径方向内方に伸びる連通部分７２ｄａと、連通部分７２ｄａに接続されると共にアウターロータ５１の外周から内歯部５１ａの間において延びる線状部分７２ｄｂとを有した構成とされている。線状溝部７２ｅは、閉じ込み部５３ｂ側において、間隙部Ｓから径方向内方に伸びる連通部分７２ｅａと、連通部分７２ｅａに接続されると共にアウターロータ５１の外周から内歯部５１ａの間において延びる線状部分７２ｅｂとを有した構成とされている。本実施形態の場合、連通部分７２ｄａ、７２ｅａを凹部７３ａ、７３ｂの内壁面から当該内壁面に沿ってアウターロータ５１の径方向に延設しており、線状部分７２ｄｂ、７２ｅｂを連通部分７２ｄａ、７２ｅａからアウターロータ５１の周方向に延設している。
【００４９】
このように、第２のサイドプレート７２に対して線状溝部７２ｄ、７２ｅを備え、線状溝部７２ｄ、７２ｅという線状の溝にすると共に、その一部のみが間隙部Ｓに接続される連通部分７２ｄａ、７２ｅａとなるようにしている。このため、線状溝部７２ｄ、７２ｅ内には間隙部Ｓからの高圧なブレーキ液が導入されることでアウターロータ５１をシール部材１００側に押し戻す力を発生させることができる。そして、それと同時に、線状溝部７２ｄ、７２ｅとすることでアウターロータ５１と第２のサイドプレート７２との接触面積が減る量を少なくできる。したがって、特許文献１の構造と比較して、アウターロータ５１と第２のサイドプレート７２との接触箇所に掛かる荷重をより広い範囲で受けることができ、アウタロータ５１や第２のサイドプレート７２が磨耗されることを抑制することが可能となる。
【００５０】
なお、線状溝部７２ｄ、７２ｅの連通部分７２ｄａ、７２ｅａを凹部７３ａ、７３ｂの内壁面に沿って延設する構造としているが、このような構造は、第２のサイドプレート７２を中央プレート７３と一体化する場合に特に有効である。例えば、レーザ加工によって線状溝部７２ｄ、７２ｅを形成できるが、第２のサイドプレート７２を中央プレート７３と一体化する場合、レーザ加工の際に、予め形成してあった凹部７３ａ、７３ｂの内壁面を基準にすると、線状溝部７２ｄ、７２ｅが形成し易い。このため、上記構造とすることで、線状溝部７２ｄ、７２ｅの連通部分７２ｄａ、７２ｅａの形成工程の簡略化を図ることができる。
【００５１】
次に、このように構成されたブレーキ装置および回転式ポンプ１０の作動について説明する。
【００５２】
例えばブレーキアシスト時のように、ドライバによるブレーキペダル１の操作により発生させられるＭ／Ｃ圧よりも大きなＷ／Ｃ圧を発生させて制動力を大きくしたい場合、二位置弁２３が適宜連通状態にされると共に、差圧制御弁２２が差圧状態とされる。
【００５３】
また、モータ１１を制御して回転式ポンプ１０を駆動し、ブレーキ液の吸入吐出動作を行わせる。具体的には、モータ１１の駆動により駆動軸５４の回転に応じてインナーロータ５２が回転運動させられ、それに伴って内歯部５１ａと外歯部５２ａの噛合によりアウターロータ５１が同方向へ回転させられる。このとき、それぞれの空隙部５３の体積がアウターロータ５１およびインナーロータ５２が１回転する間に大小に変化するため、吸入口６０からブレーキ液が吸入され、吐出口６１から管路Ａ２に向けてブレーキ液が吐き出される。この吐出されたブレーキ液によってＷ／Ｃ圧を増圧している。このように、回転式ポンプ１０にて、両ロータ５１、５２を回転させることによって、吸入口６０からブレーキ液を吸入し、吐出口６１からブレーキ液を吐出するという基本的なポンプ動作を行わせる。
【００５４】
このとき、差圧制御弁２２によって差圧が発生させられる状態になっているため、回転式ポンプ１０の吐出圧が差圧制御弁２２の下流側、つまり各Ｗ／Ｃ４、５に対して作用し、Ｍ／Ｃ圧よりも大きなＷ／Ｃ圧が発生させられる。このため、ブレーキ装置により、ドライバによるブレーキペダル１の操作によって発生させられるＭ／Ｃ圧よりも大きなＷ／Ｃ圧を発生させることができる。
【００５５】
このときのポンプ動作において、アウターロータ５１の外周のうち吸入口６０側は調圧リザーバ４０を介して吸入されるブレーキ液によって吸入圧（大気圧）とされ、アウターロータ５１の外周のうち吐出口６１側は高圧な吐出圧とされる。
【００５６】
このため、アウターロータ５１の外周において低圧な部分と高圧な部分が生じる。しかしながら、上述したように、シール部材８０、８１によって、アウターロータ５１の外周の低圧な部分と高圧な部分をシールして分離している。このため、アウターロータ５１の外周を通じて吐出口６１側の高圧部分から吸入口６０側の低圧部分に向けてブレーキ液洩れが発生しない。また、シール部材８０、８１により、アウターロータ５１の外周のうちの吸入口６０側は低圧となって、吸入口６０と連通する空隙部５３と同様の圧力となる。さらに、アウターロータ５１の外周のうちの吐出口６１側は高圧となって、吐出口６１と連通する空隙部５３と同様の圧力となる。このため、アウターロータ５１の内外における圧力バランスが保持され、ポンプ駆動を安定して行うようにすることができる。
【００５７】
また、本実施形態に示す回転式ポンプ１０では、シール部材８０、８１が吸入口６０側に位置しているため、アウターロータ５１の外周のうち閉じ込み部５３ａ、５３ｂを囲む位置まで高圧な吐出圧とされる。このため、アウターロータ５１が紙面上下方向に押圧され、閉じ込み部５３ａにおいてアウターロータ５１の内歯部５１ａとインナーロータ５２の外歯部５２ａとの歯先隙間が縮まる方向に荷重がかけられ、内歯部５１ａと外歯部５２ａとの歯先隙間が縮むように作用する。これにより、アウターロータ５１の内歯部５１ａとインナーロータ５２の外歯部５２ａとの歯先隙間を通じて発生するブレーキ液洩れを抑制できる。
【００５８】
一方、インナーロータ５２およびアウターロータ５１の軸方向端面と第１、第２のサイドプレート７１、７２との間の隙間でも、低圧な吸入口６０や駆動軸５４とインナーロータ５２との間の間隙と高圧な吐出口６１とにより、低圧な部分と高圧な部分が生じる。しかしながら、シール部材１００やメカニカルシールによって、これら低圧な部分と高圧な部分とをシールしているため、高圧な部分から低圧な部分に向けてブレーキ液洩れが発生しない。そして、シール部材１００がシール部材８０、８１を通過し、メカニカルシールもシール部材８０、８１と接するように形成されているため、この間からもブレーキ液洩れが発生することはない。
【００５９】
また、第２のサイドプレート７２の端面に線状溝部７２ｄ、７２ｅを形成しているため、アウターロータ５１をシール部材１００側に押し戻す力を発生させることができ、アウターロータ５１から第２のサイドプレート７２に掛かる荷重を低減できる。これにより、アウターロータ５１と第２のサイドプレート７２との間の接触抵抗が小さくなり、より円滑なポンプ動作が可能になる。そして、アウターロータ５１をシール部材１００側に押し戻す力を線状溝部７２ｄ、７２ｅにて発生させている。したがって、アウターロータ５１と第２のサイドプレート７２との接触面積の減少量を小さくし、アウタロータ５１や第２のサイドプレート７２の磨耗量を減少させることが可能な回転式ポンプ１０にできる。
【００６０】
（他の実施形態）
本発明は上記した実施形態に限定されるものではなく、特許請求の範囲に記載した範囲内において適宜変更が可能である。例えば、第１実施形態では線状溝部７２ｄ、７２ｅの形状の一例を示したが、他の形状であっても構わない。
【００６１】
例えば、図３（ａ）に示すように、線状部分７２ｄｂを複数本、例えば図示したように２本にしても良い。この場合でも、連通部分７２ｄａを介して各線状部分７２ｄｂを間隙部Ｓに接続することで、各線状部分７２ｄｂに高圧が導入されるようにすることができる。また、連通部分７２ｄａの形成位置についても、凹部７３ａの内壁面から沿わせるようにする必要はないため、図３（ａ）に示したように凹部７３ａよりも吐出口６１側に形成されるようにしても良い。また、図３（ｂ）に示すように、線状部分７２ｄｂをアウターロータ５１の周方向を長手方向とした蛇行状にすることもできる。
【００６２】
また、図３（ｃ）に示すように連通部分７２ｄａを内歯部５２ａ側まで延設し、そこから線状部分７２ｄｂをアウターロータ５１の周方向を長手方向としつつ径方向外側に向けて蛇行させた形状としても良い。さらに図３（ｄ）に示すように、各線状溝部７２ｄを周方向において複数個、例えば図示したように２個並べて配置しても良い。なお、図３（ａ）〜（ｄ）では、線状溝部７２ｄについて図示したが、線状溝部７２ｅについても同様の構造を適用できる。
【００６３】
また、上記第１実施形態では、線状溝部７２ｄ、７２ｅの両方を備えた場合について説明したが、一方が備えられているだけでも、アウターロータ５１をシール部材１００側に押し戻す力を発生させられるため、上記効果を得ることができる。また、線状部分７２ｄｂ、７２ｅｂについては、アウターロータ５１の周方向に沿った円弧状にしても良いし、例えば径方向に対して垂直に延びる直線状にしても良く、また波形状であっても良い。
【００６４】
さらに、上記第１実施形態では、線状溝部７３ｄ、７２ｅを第２のサイドプレート７２の端面のうち中心線Ｚから各シール部材８０、８１の間に配置した。これは、特にアウターロータ５１のうち中心線Ｚよりもシール部材８０、８１側などでアウターロータ５１をシール部材１００側に押し戻す力が小さくなるためである。このため、この場所に線状溝部７３ｄ、７２ｅを配置することが最も有効であるが、中心線Ｚからシール部材８０、８１の間だけでなく、線状溝部７３ｄ、７２ｅが中心線Ｚより吐出口６１側に入り込んで形成されていても良い。
【００６５】
また、上記実施形態では、ケーシング５０として第１のサイドプレート７１を備えた構造とした。しかしながら、これも一例であり、回転式ポンプ１０の各構成部品がブレーキ液圧制御用アクチュエータを構成するハウジング内に収容される場合、そのハウジングによって第１のサイドプレート７１を構成しても良い。
【符号の説明】
【００６６】
１０…回転式ポンプ、５０…ケーシング、５０ａ…ロータ室、５１…アウターロータ、５１ａ…内歯部、５２…インナーロータ、５２ａ…外歯部、５３…空隙部、５３ａ、５３ｂ…閉じ込み部、５４…駆動軸、６０…吸入口、６１…吐出口、７１…第１のサイドプレート、７２…第２のサイドプレート、７２ｄ、７２ｅ…線状溝部、７２ｄａ、７２ｅａ…連通部分、７２ｄｂ、７２ｅｂ…線状部分、７３…中央プレート、１００…シール部材
【図１】
2014084849.tif 000003
【図２（ａ）】
2014084849.tif 000004
【図２（ｂ）】
2014084849.tif 000005
【図２（ｃ）】
2014084849.tif 000006
【図３（ａ）】
2014084849.tif 000007
【図３（ｂ）】
2014084849.tif 000008
【図３（ｃ）】
2014084849.tif 000009
【図３（ｄ）】
2014084849.tif 000010